(57)【特許請求の範囲】
【請求項１】
熱源を有する調理器本体と、
前記調理器本体内の発熱部位に送風し強制冷却するファンと、
前記調理器本体の外郭外面前部もしくは底部又は双方に設けられた吸気口と、を備え、
前記ファンのファンケースには、前記吸気口から前記調理器本体外の空気を吸気するファン吸気口を水平面に対して６０〜１２０度となるよう構成し、
前記ファンにより送風され、前記調理器本体の外郭外面後方の上部又は後部に設けられた排気口へ向かう冷却風の下流側には、
前記熱源の出力を制御する制御基板と、
前記制御基板の下方に基板を収納し固定する基板ケースと、
前方開口部を開閉する扉を有し内部に収納された被加熱物を加熱する調理庫と、を有し、
前記冷却風は、前記制御基板へ送風されるとともに、前記基板ケースの下面であって調理器本体の外郭底部の上方に設けられたリブにより仕切られて形成される風路によって、前記制御基板の上流側で分岐されて前記調理庫側へ導風されることを特徴とする加熱調理器。
【請求項２】
熱源を有する調理器本体と、
前記調理器本体内の発熱部位に送風し強制冷却するファンと、
前記調理器本体の外郭外面前部もしくは底部又は双方に設けられた吸気口と、を備え、
前記ファンのファンケースには、前記吸気口から前記調理器本体外の空気を吸気するファン吸気口を水平面に対して６０〜１２０度となるよう構成し、
前記ファンにより送風され、前記調理器本体の外郭外面後方の上部又は後部に設けられた排気口へ向かう冷却風の下流側には、
前記熱源の出力を制御する制御基板と、
前記制御基板の下方に基板を収納し固定する基板ケースと、
前方開口部を開閉する扉を有し内部に収納された被加熱物を加熱する調理庫と、を有し、
前記冷却風は、前記制御基板へ送風されるとともに、前記制御基板の下方であって前記基板ケースの上方に設けられたリブによって仕切られて形成される風路によって、前記制
御基板よりも上流側で分岐されて前記調理庫側へ導風されることを特徴とする加熱調理器。
【請求項３】
前記基板ケースと前記制御基板との間または、前記基板ケースと前記調理器本体の外郭外面底部との間に断熱部材を更に有することを特徴とした請求項１または２に記載の加熱調理器。
【請求項４】
前記調理庫と前記調理器本体外郭における前記調理庫側の側面又は後面の間に遮熱板を更に有し、前記調理庫側へ送風され、前記調理庫と前記調理器本体外郭底面との間へと導風された冷却風を、前記遮熱板と前記調理庫との間に形成され排気口へと至る風路を経由し前記排気口から排出することを特徴とした請求項１〜３のいずれか１項に記載の加熱調理器。
【請求項５】
遮熱板と調理器本体外郭後方又は調理庫側の側面との間、又は前記遮熱板と前記調理庫の間であって、前記遮熱板上に断熱部材を更に有することを特徴とした請求項４に記載の加熱調理器。
【発明の詳細な説明】
【技術分野】
【０００１】
本発明は、加熱調理器における発熱部品冷却用ファンの吸排気構成に関するものである。
【背景技術】
【０００２】
従来、この種の加熱調理器は、調理器天面後方に開口部を設け一方を吸気口に、他方を排気口として構成されていた（例えば、特許文献１参照）。
【特許文献１】特開２００２−１１０３３１号公報
【発明の開示】
【発明が解決しようとする課題】
【０００３】
しかしながら、前記従来の構成では、調理物を加熱する際に暖められた空気と共に油煙や蒸気および調理物である煮汁等を吸気口から吸気するため、冷却効率や内部部品の耐久性を損なう可能性があるという課題を有していた。更に、発熱する制御基板を熱交換により強制風冷した冷却風で調理庫側の外郭および周辺部材の温度上昇を抑える方式であるため部材の冷却性能を損なう可能性があるという課題を有していた。
【０００４】
本発明は、前記従来の課題を解決するもので、調理物を加熱する際に暖められた空気と共に油煙や蒸気および調理物である煮汁等を吸気口から吸気し難い構成とするかつ、冷却ファンにより吸気した外気温に近い温度の比較的低い空気を直接調理庫側へ導風する構成とすることで、冷却効率を高めた信頼性に富む商品価値の高い加熱調理器を提供することを目的とする。
【課題を解決するための手段】
【０００５】
前記従来の課題を解決するために、本発明の加熱調理器は、熱源を有する調理器本体と、前記調理器本体内の発熱部位に送風し強制冷却するファンと、前記調理器本体の外郭外面前部もしくは底部又は双方に設けられた吸気口とを備え、前記ファンのファンケースには、ファン吸気口を略垂直平面上に有し、前記吸気口から調理器本体外の空気を吸気し前記ファンにより略後方へ送風された冷却風の下流側には、熱源の出力を制御する制御基板と、前記制御基板の下方に基板を収納し固定する基板ケースと、前方開口部を開閉する扉を有し内部に収納された被加熱物を加熱する調理庫と、冷却風の出口となる複数の排気口とをを有し、前記排気口は前記調理器本体の外郭外面後方の上部又は後部に有し、前記基板ケースと前記調理庫外郭底部の間に前記ファンにより略後方へと送風された冷却風を分岐し、前記調理庫側へ導風する風路を有する構成とする。
【０００６】
これによって、調理物を加熱する際に暖められた空気と共に油煙や蒸気および調理物である煮汁等を吸気口から吸気し難く、冷却効率を高めた構成となる。
【発明の効果】
【０００７】
本発明の加熱調理器は、調理物を加熱する際に暖められた空気と共に油煙や蒸気および調理物である煮汁等を吸気口から吸気し難く、冷却ファンにより吸気した外気温に近い温度の比較的低い空気を直接調理庫側へ導風する構成とし、内部部品の冷却効率の高い耐久性に富む商品価値の高い加熱調理器とすることができる。
【発明を実施するための最良の形態】
【０００８】
第１の発明は、熱源を有する調理器本体と、前記調理器本体内の発熱部位に送風し強制冷却するファンと、前記調理器本体の外郭外面前部もしくは底部又は双方に設けられた吸気口とを備え、前記ファンのファンケースには、前記吸気口から前記調理器本体外の空気を吸気するファン吸気口を水平面に対して６０〜１２０度となるよう構成し、前記吸気口から前記調理器本体外の空気を吸気し前記ファンにより送風され、前記調理器本体の外郭外面後方の上部又は後部に設けられた排気口へ向かう冷却風の下流側には、熱源の出力を制御する制御基板と、前記制御基板の下方に基板を収納し固定する基板ケースと、前方開口部を開閉する扉を有し内部に収納された被加熱物を加熱する調理庫と、を有し、前記冷却風は、前記制御基板へ送風されるとともに、前記基板ケースの下面であって調理器本体の外郭底部の上方に設けられたリブにより仕切られて形成される風路によって、前記制御基板の上流側で分岐されて前記調理庫側へ導風される構成とすることで、調理物を加熱する際に暖められた空気と共に油煙や蒸気および調理物である煮汁等を吸気口から吸気し難く、冷却ファンにより吸気した外気温に近い温度の比較的低い空気を直接調理庫側へ導風する構成とし、内部部品の冷却効率の高い耐久性に富む商品価値の高い加熱調理器とすることができる。
【０００９】
第２の発明は、熱源を有する調理器本体と、前記調理器本体内の発熱部位に送風し強制冷却するファンと、前記調理器本体の外郭外面前部もしくは底部又は双方に設けられた吸気口とを備え、前記ファンのファンケースには、前記吸気口から前記調理器本体外の空気を吸気するファン吸気口を水平面に対して６０〜１２０度となるよう構成し、前記ファンにより送風され、前記調理器本体の外郭外面後方の上部又は後部に設けられた排気口へ向かう冷却風の下流側には、熱源の出力を制御する制御基板と、前記制御基板の下方に基板を収納し固定する基板ケースと、前方開口部を開閉する扉を有し内部に収納された被加熱
物を加熱する調理庫と、を有し、前記冷却風は、前記制御基板へ送風されるとともに、前記制御基板の下方であって前記基板ケースの上方に設けられたリブによって仕切られて形成される風路によって、前記制御基板よりも上流側で分岐されて前記調理庫側へ導風される構成とすることで、調理物を加熱する際に暖められた空気と共に油煙や蒸気および調理物である煮汁等を吸気口から吸気し難く、冷却ファンにより吸気した外気温に近い温度の比較的低い空気を直接調理庫側へ導風する構成とし、内部部品の冷却効率の高い耐久性に富む商品価値の高い加熱調理器とすることができる。
【００１０】
第３の発明は、特に、第１または第２の発明において、基板ケースと制御基板との間または、前記基板ケースと調理器本体外郭底部との間に断熱部材を更に有することで、調理物を加熱する際に暖められた空気と共に油煙や蒸気および調理物である煮汁等を吸気口から吸気し難く、冷却ファンにより吸気した外気温に近い温度の比較的低い空気を直接調理庫側へ導風する構成とし、内部部品の冷却効率の高い耐久性に富む商品価値の高い加熱調理器とすることができる。
【００１１】
第４の発明は、特に、第１〜３のいずれか１つの発明において、調理庫と調理器本体外郭における前記調理庫側の側面又は後面の間に遮熱板を更に有し、前記調理庫側へ送風され、前記調理庫と前記調理器本体外郭底面との間へと導風された冷却風を、前記遮熱板と前記調理庫との間に形成され排気口へと至る風路を経由し前記排気口から排気する構成とすることにより、調理物を加熱する際に暖められた空気と共に油煙や蒸気および調理物である煮汁等を吸気口から吸気し難く、冷却ファンにより吸気した外気温に近い温度の比較的低い空気を直接調理庫側へ導風する構成とし、調理庫周辺部材の温度上昇を低減でき、使い勝手の良い、内部部品の冷却効率の高い、信頼性に富む商品価値の高い加熱調理器とすることができる。
【００１２】
第５の発明は、特に、第４の発明において、遮熱板と調理器本体外郭後方又は調理庫側の側面との間、又は前記遮熱板と前記調理庫の間であって、前記遮熱板上に断熱部材を更に有する構成とすることにより、調理物を加熱する際に暖められた空気と共に油煙や蒸気および調理物である煮汁等を吸気口から吸気し難く、冷却ファンにより吸気した外気温に近い温度の比較的低い空気を直接調理庫側へ導風する構成とし、調理庫周辺部材の温度上昇を低減でき、使い勝手の良い、内部部品の冷却効率の高い、信頼性に富む商品価値の高い加熱調理器とすることができる。
【００１３】
（実施の形態１）
図１〜５は本発明の第１の実施の形態における加熱調理器の詳細図を示すものである。熱源１１を有する調理器本体１２と、調理器本体１２内の発熱部位１４に送風し強制冷却するファン１５と、調理器本体１２の外郭外面前部もしくは底部又は双方に設けられた吸気口１３と、ファン１５のファン吸気口１７を略垂直平面上に有し、吸気口１３から調理器本体１２外の空気を吸気しファン１５により略後方へ送風された冷却風の下流側に熱源の出力を制御する制御基板２０と、制御基板２０の下方に基板を収納し固定する基板ケース２１と、前方開口部を開閉する扉を有し内部に収納された被加熱物を加熱する調理庫２２と、冷却風の出口となる排気口１０を複数有し、排気口１０は調理器本体１２の外郭外面後方の上部又は後部に有し、基板ケース２１と調理庫２２外郭底部の間にファン１５により略後方へと送風された冷却風を分岐し、調理庫２２側へ導風する風路を設ける。
【００１４】
以上のように構成された加熱調理器の冷却風の経路構成について、以下その作用を説明する。
【００１５】
熱源にガス等の炎を用いた加熱調理器や磁界を発生し鍋等を加熱する誘導加熱コイルや電気的な抵抗に電流を流すことによりジュール熱を発生させる熱源等を有する加熱調理器の場合、調理器の動作を制御する制御基板が熱源で発生した熱により加熱される。更に誘導加熱コイルにより鍋を発熱させる加熱調理器においては、誘導加熱コイルや内部の制御基板の回路上を流れる電流と回路が持つ電気抵抗により誘導加熱コイルや制御基板が自己発熱する。誘導加熱コイルや制御基板上の部品を耐熱温度以下に温度を下げるために、調理器外部の空気を吸気し、内部の部品を冷却した後、排気する強制空冷方式の冷却構成が必要となる。更に調理庫２２は調理庫２２の内部でヒーター等の発熱部材を発熱させることにより被加熱物を調理する方式であるため周辺部材の温度が上昇する。周辺部材の温度上昇あるいは調理器本体外郭外面の温度上昇を抑制するために冷却風を導風する必要がある。従来の加熱調理器においては熱源１１の出力を制御する制御基板２０上にある発熱部材を熱交換により冷却した後の冷却風を調理庫２２側へ送風し排出する構成としていた。しかしながら、前記従来の方式においては制御基板２０上の発熱部品１４により温められた冷却風が調理庫２２周辺へと導風されるため冷却効率が低下する．更に、熱源の高出力化、高火力化に伴い、制御基板２０上の発熱部品１４の発熱量も多くなり冷却効率の低下の要因となっている。そこで、本発明においては基板ケース２１と調理器本体１２外郭底部の間にファン１５により略後方へと送風された冷却風を分岐し、調理庫２２側へ導風するために基板ケース２１の下方にリブ等で仕切られた風路（ダクト形状）を備えた構成とすることで、ファン１５により吸気した外気温に近い温度の比較的低い空気を直接調理庫２２側へ導風でき、内部部品の冷却効率の高い耐久性に富む商品価値の高い加熱調理器とすることができる。更に、調理器本体１２の外郭温度の上昇に伴い、調理器本体１２が設置されているキッチンのキャビネット等に収納されている食材の温度が上昇する。調理器本体１２の外郭温度を低減する構成とすることで、食材の温度上昇による劣化を抑制できるという効果が得られる。また、従来の加熱調理器のように調理器本体１２の上面に吸気口１３と排気口１０を設ける構成とは異なり、排気口１０のみを調理器本体の上面に設けることにより、排気口１０を複数設けることができ、排気口１０の開口面積を従来と比較して大きくできるという利点がある。更に、ファン吸気口１７の面積と等しいまたは、それ以上の開口面積を排気口１０に持たせることが容易にできる。このことにより、ファンから制御基板へと至る冷却風の排気圧損を低減でき低騒音で高効率の冷却性能が実現できる加熱調理器とすることができる。加えて、吸気口１３の開口面積をファン吸気口１７の開口面積よりも大きくし吸気時の圧力損失を低減し、低騒音で高効率の冷却性能が実現できる加熱調理器とすることができる。前記の吸気口およびファン吸気口と排気口の開口面積の大小は一例であって、ファンの特性や冷却風の流路の形状に応じ最適な大小関係を設定することが望ましい。加えて、基板ケース２１と調理庫２２の間に隔壁が設けられている構成の加熱調理器においては、前記隔壁にも開口部を設け基板ケース２１に設けた導風経路と連通する位置関係に前記隔壁の開口部を設けることが望ましい。周辺部材の温度上昇が制限となり調理庫２２の庫内温度が十分上げられず加熱調理性能が劣化するという課題も解決できる。
【００１６】
調理器本体１２の上部に設けられた熱源１１の更に上方に被加熱物を載置し加熱する時、熱源から発生した熱が熱源や被加熱物周辺へ伝わり、熱源周辺の空気も温められる。暖められた空気は主に上方や一部は横方向へ拡散する。調理器本体１２前部または底部すなわち熱源１１よりも下方へ吸気口１３を設ける構成とすることにより、熱源が発生する熱により温められた空気を吸気口１３から吸引し難い構成とし、冷却効率や内部部品の耐久性を高める効果が得られる。更に、調理物を加熱する際に暖められた空気と共に油煙や蒸気および調理物である煮汁等を吸気口から吸気し難い構成となり、内部部品の耐久性を高める効果が得られる。更に、調理器本体１１の上面に設けられた排気口１０から冷却風が略上方へと排出することにより、調理物を加熱する際に暖められた空気と共に油煙や蒸気および調理物である煮汁等を排気口から進入し難い構成とすることができる。また、熱源にガス等の炎を用いた加熱調理器とは異なり、磁界を発生し鍋等を加熱する誘導加熱コイルや電気的な抵抗に電流を流すことによりジュール熱を発生させる熱源等を有する加熱調理器の場合、ガスの燃焼による上昇気流がない。よって、室内に設けられた換気扇等の排気設備へと熱源で調理物を加熱する際に暖められた空気と共に油煙や蒸気が誘導され難い。調理器本体１１の上面に設けられた排気口１０から冷却風が略上方へと排出する構成とすることにより、上昇気流を発生させ熱源で調理物を加熱する際に暖められた空気と共に油煙や蒸気を室内に設けられた換気扇へと補助誘導し室外へと排出しやすくすることができる等の効果が得られる。更に例えば熱源の数に応じ適切な位置（熱源の略後方が望ましい）、に排気口１０を熱源と同数以上設けてもよい。それぞれの熱源で調理物を加熱する際に暖められた空気と共に油煙や蒸気を室内に設けられた換気扇へと補助誘導することができる。
【００１７】
また、ファン吸気口１７を吸気口１３の近傍に設けずに略同一平面とは異なる位置、例えば略垂直平面に設置し、ファン１５の吸気口１３からファン吸気口１７へ至る吸気経路を構成することにより、調理物である煮汁等が吸気口１３へ吸引されても直ちにファン吸気口１７へ至り、調理器内部へ侵入する可能性を低下させる効果がある。略垂直平面とは図３における角度θは６０〜１２０度となる平面であることが望ましい。冷却が必要な発熱部品は一般的に冷却ファンに対しこの範囲内に存在するため望ましい構成となる。吸気口１３を調理器本体１２の底部もしくは、その近傍の前部に設ける位置関係上、ファン吸気口１７は吸気口１３よりも上方に設けられ、吸気口１３からファン吸気口１７へ至る吸気経路内の空気が下方から上方へ流れる。万一吸気口１３から調理物である煮汁等を吸気口から吸気しても、吸気経路内で煮汁等の自重により落下し調理器内部へ侵入する可能性を低下させる効果がある。更に、吸気口１３からファン吸気口１７へ至る吸気経路の断面積を吸気口１３の開口面積よりも大きくすることにより、経路中を流れる空気の流速を減少させ、吸気経路における煮汁等の自重落下を促進し、万一吸気口１３から調理物である煮汁等を吸気口から吸気してもファン吸気口１７へ至り調理器内部へ侵入する可能性を低下させる効果がある。ファン（翼車）から発生した風の向きをファンケースにより変化させた後、制御基板上の発熱部品へ送風する構成である遠心式のファン１５を用いることにより、ファン吸気口１７に調理物の煮汁等が進入しても、煮汁の主な成分である水分は空気と比較して自重が重いため、遠心力によりファンの回転中心よりも外側へ飛ばされファンケース１６に当たり付着する。このことにより、直接調理機内の電子部品に水分が付着する可能性を低下させる効果がある。更にファンケース１６に付着した煮汁等の調理物が堆積することを妨げるため、ファンケース１６内部に排出溝を設け、調理器本体１２外へ排出する構成としても良い。遠心式のファン１５には多翼ファン（シロッコファン）、ターボファンやラジアルファン等やその他の遠心式のファンを用いても同様の効果が得られる。キッチンに組み込むビルトインタイプの加熱調理器のみならず、台上に設置する据え置きタイプの加熱調理器において前記のような構成としても同様の効果が得られる。以上のような構成とすることで、調理物を加熱する際に暖められた空気と共に油煙や蒸気および調理物である煮汁等を吸気口から吸気し難い構成となる。これにより、使い勝手の良い、冷却効率の優れた、信頼性に富む商品価値の高い加熱調理器とすることができる。
【００１８】
（実施の形態２）
図６〜７は本発明の第２の実施の形態における加熱調理器の詳細図を示すものである。基本的な構成は実施の形態１と同様であるため、構成の違うところのみを説明する。
【００１９】
熱源１１を有する調理器本体１２と、調理器本体１２内の発熱部位１４に送風し強制冷却するファン１５と、調理器本体１２の外郭外面前部もしくは底部又は双方に設けられた吸気口１３と、ファン１５のファン吸気口１７を略垂直平面上に有し、吸気口１３から調理器本体１２外の空気を吸気しファン１５により略後方へ送風された冷却風の下流側に熱源１１の出力を制御する制御基板２０と、制御基板２０の下方に基板を収納し固定する基板ケース２１と、前方開口部を開閉する扉を有し内部に収納された被加熱物を加熱する調理庫２２と、冷却風の出口となる排気口１０を複数有し、排気口１０は調理器本体１２の外郭外面後方の上部又は後部に有し、ファン１５により略後方へ送風された冷却風を制御基板２０の下方へ分岐し、調理庫２２側へ導風する風路を設ける。
【００２０】
以上のように構成された加熱調理器の冷却風の経路構成について、以下その作用を説明する。
【００２１】
図６から７に示すように、制御基板２０の下方で基板ケース２１の上方にリブ等で仕切られた風路へ導風することで制御基板２０上の発熱部材との熱交換により温められずに、外気温に近い温度の比較的低い冷却風を調理庫側へと導風できる。これにより、調理庫周辺の部材の冷却効率を高める効果が得られる。調理器本体１２の外郭温度の上昇に伴い、調理器本体１２が設置されているキッチンのキャビネット等に収納されている食材の温度は上昇する。調理器本体１２の外郭温度を低減する構成とすることで、食材の温度上昇による劣化を抑制できるという効果が得られる。
【００２２】
本発明はキッチンに組み込むビルトインタイプの加熱調理器のみならず、台上に設置する据え置きタイプの加熱調理器において前記のような構成としても同様の効果が得られる。これにより、使い勝手の良い、内部部品の冷却効率の高い、内部部品の耐久性に富む商品価値の高い加熱調理器とすることができる。
【００２３】
（実施の形態３）
図８、９は本発明の第３の実施の形態における加熱調理器の詳細図を示すものである。基本的な構成は実施の形態１および２と同様であるため、構成の違うところのみを説明する。
【００２４】
図８、９に示すように、基板ケース２１と制御基板２０との間または、基板ケース２１と調理器本体１２外郭外面底部との間に断熱部材２４を更に有する構成とする。以上のように構成された加熱調理器の冷却風の流れる経路構成について、以下その作用を説明する。
【００２５】
基板ケース２１と制御基板２０との間または、基板ケース２１と調理器本体１２外郭外面底部との間に断熱部材２４を有することで、冷却風が流れる経路上において発熱部品１４が実装されている制御基板２０との熱交換により冷却風が温められることを更に抑制できる効果が得られる。その結果調理器本体１２の特に調理庫２２側の外郭外面および周辺部材の冷却効率が向上する効果が得られる。これにより、使い勝手の良い、内部部品の冷却効率の高い、信頼性に富む商品価値の高い加熱調理器とすることができる。
【００２６】
（実施の形態４）
図１０は本発明の第４の実施の形態における加熱調理器の詳細図を示すものである。基本的な構成は実施の形態１、２、３と同様であるため、構成の違うところのみを説明する。
【００２７】
図１０に示すように、調理庫２２と調理器本体１２外郭における調理庫２２側の側面又は後面の間に遮熱板２３を更に有し、調理庫２２側へ送風され、調理庫２２と調理器本体１２外郭底面との間へと導風された冷却風を前記遮熱板２３と調理庫２２との間に形成され排気口へと至る風路を経由し排気口１０から排出する構成とする。調理庫２２周辺の調理器本体１２側面または後方側に遮熱板２３を設けることで調理庫２２側へ導風した風が調理庫２２の底面や側面を冷却し、その際に温められた冷却風が温度の低い調理器本体１２外郭側面や後面を温めることなく排気口１０から排出できるという効果が得られる。調理器本体１２の外郭温度の上昇に伴い、調理器本体１２が設置されているキッチンのキャビネット等に収納されている食材の温度は上昇する。調理器本体１２の外郭温度を低減する構成とすることで、食材の温度上昇による劣化を抑制できるという効果が得られる。また、調理庫２２周辺の部材の温度上昇が低減できる効果が得られ、調理器全体の耐久性が向上する。
【００２８】
キッチンに組み込むビルトインタイプの加熱調理器のみならず、台上に設置する据え置きタイプの加熱調理器において前記のような構成としても同様の効果が得られる。これにより、耐久性、信頼性に富む、調理性能の高い、使い勝手の良い商品価値の高い加熱調理器とすることができる。
【００２９】
（実施の形態５）
図１１は本発明の第５の実施の形態における加熱調理器の詳細図を示すものである。基本的な構成は実施の形態４と同様であるため、構成の違うところのみを説明する。
【００３０】
図１１に示すように、遮熱板２３と調理器本体１２外郭後方又は調理庫２２側の側面との間、又は遮熱板２３と調理庫２２の間であって、遮熱板２３上に断熱部材２４を更に有する構成とする。
【００３１】
これにより、遮熱板を介した熱伝導現象による調理器本体外郭外面の温度上昇を抑制できる。また、調理庫２２周辺の部材の温度上昇が低減できる効果が得られ、調理器全体の耐久性が向上する。更に、周辺部材の温度上昇が制限となり調理庫２２の庫内温度が十分上げられず加熱調理性能が劣化するという課題も解決できる。調理器本体１２外郭の温度上昇が抑制され、調理器本体１２周辺の室温上昇も防げ快適に調理できる等の効果がある。キッチン等の調理器本体１２周辺の温度上昇も抑制でき周辺部材への温度上昇を抑え温度上昇による劣化も防ぐことができる等の効果が得られる。
【００３２】
キッチンに組み込むビルトインタイプの加熱調理器のみならず、台上に設置する据え置きタイプの加熱調理器において前記のような構成としても同様の効果が得られる。これにより、内部部品の耐久性、信頼性に富む、調理性能の高い、使い勝手の良い商品価値の高い加熱調理器とすることができる。
【産業上の利用可能性】
【００３３】
以上のように、本発明にかかる加熱調理器は、調理物である煮汁等や空気中を漂うチリやホコリを吸引し調理器内部へ侵入する可能性を低下させることができ、かつ、熱源や調理庫周辺の部材の温度上昇を抑制できる構成であるため、他の同じような強制空冷方式を構成するの加熱調理機器等の用途にも適用できる。
【図面の簡単な説明】
【００３４】
【図１】本発明の実施の形態１における加熱調理器の詳細図
【図２】本発明の実施の形態１における加熱調理器の詳細図
【図３】本発明の実施の形態１における加熱調理器の詳細図
【図４】本発明の実施の形態１における加熱調理器の詳細図
【図５】本発明の実施の形態１における加熱調理器の詳細図
【図６】本発明の実施の形態２における加熱調理器の詳細図
【図７】本発明の実施の形態２における加熱調理器の詳細図
【図８】本発明の実施の形態３における加熱調理器の詳細図
【図９】本発明の実施の形態３における加熱調理器の詳細図
【図１０】本発明の実施の形態４における加熱調理器の詳細図
【図１１】本発明の実施の形態５における加熱調理器の詳細図
【符号の説明】
【００３５】
２  トップフレーム
３  天板
４  操作部
１０  排気口
１１  熱源
１２  調理器本体
１３  吸気口
１４  発熱部品
１５  ファン
１６  ファンケース
１７  ファン吸気口
１８  脚
１９  カバー
２０  制御基板
２１  基板ケース
２２  調理庫
２４  断熱部材
３０  ファン排気口
３１  扉
【図１】
0004900141.tif 000002
【図２】
0004900141.tif 000003
【図３】
0004900141.tif 000004
【図４】
0004900141.tif 000005
【図５】
0004900141.tif 000006
【図６】
0004900141.tif 000007
【図７】
0004900141.tif 000008
【図８】
0004900141.tif 000009
【図９】
0004900141.tif 000010
【図１０】
0004900141.tif 000011
【図１１】
0004900141.tif 000012